(57)【要約】      （修正有）【課題】天井の崩落を防止する為に、天井仕上材に作用する地震力を上部の筋交いまで伝達可能な接合金物を提供する。【解決手段】鋼板厚さが２ｍｍ程度の薄板を六角形に切断する。４箇所のビス孔をあけ、谷折や山折してＬ字形構造で、野縁４と野縁受け３の交差部の左用と右用の耐震接合金物１、２が出来上がる。強い地震力が加わった場合に、接合金物が変形しないようにするための座屈防止のリブを設ける。屋内で一般に使用されている野縁受３の下側に、直交方向に取り合う野縁４やダブル野縁を強固に留めつける接合金物が必要なので、接合金物をタッピングビス１４でビス留めして固定する。【選択図】図１
0003171747.tif 000002
【実用新案登録請求の範囲】
【請求項１】
野縁と野縁受を互いに固定するために、Ｌ字形の構造で野縁より厚いプレートにビス留めの孔を設けたことを特徴とする天井下地の野縁と野縁受け交差部の耐震接合金物
【請求項２】
請求項１の接合物において、左側用と右側用が対称に作られていることを特徴とする天井下地の野縁と野縁受け交差部の耐震接合金物
【請求項３】
請求項１及び請求項２の接合金物において、座屈防止リブを設けたことを特徴とする天井下地の野縁と野縁受け交差部の耐震接合金物
【考案の詳細な説明】
【技術分野】
【０００１】
本考案は、天井下地材の一部である野縁と野縁受を互いに固定するために用いられる固定金物に関する。
【背景技術】
【０００２】
従来の天井仕上材は、吊ボルトの下部に取り付けたZ形のハンガーに野縁受を載せ、これからクリップで吊り下げた野縁の下方へビス留めしている。野縁を吊り下げているクリップは鉛直荷重のみを負担するが、地震時の水平力に対しては抵抗力がなく、野縁のクリップに引っ掛けるだけで滑る構造になっている。東北沖太平洋地震では、神奈川県にある「ミューザ川崎」に併設されている１９９７席を持つシンフォニーホールの大空間天井が、震度５弱の揺れで全面崩落した。
【０００３】
野縁受けより上部は、筋交いを野縁受けと吊ボルトの接点に合わせる接合金物（特許文献１）を使用すれば大きな揺れを防止できるが、その下にある野縁受と直交方向に通る野縁との留め方が従来通りであれば、非特許文献１に示す滑りが生じ、耐震性能は確保できない。
【０００４】
特許文献２によれば地震などによる揺れを受けても固定クリップが野縁及び野縁受から外れ難く取り付け作業も簡単で、野縁受の断面形状の選択の自由度も大きい固定クリップが示されている。しかしながら、特許文献２による発明では、前述の通り滑る構造になっているので、野縁と野縁受に水平力が加わった場合にずれが生じ、大空間天井では地震により崩落してしまう危険があった。
【先行技術文献】
【特許文献】
【０００５】
【特許文献１】特許第４４６７５９２号公報
【特許文献２】特開  ２０１０−２２９７８５号公報
【非特許文献】
【０００６】
【非特許文献１】日本建築学会大会学術講演梗概集２０１０年９月                    鋼製天井下地材の斜め方向静的戴荷時の挙動に関する実験
【考案の概要】
【考案が解決しようとする課題】
【０００７】
大地震のたびに屋根または、上階の床より組立材で骨組を吊り下げて天井材を取り付けているが、天井を構成している組立材の中で、野縁受に指で折り曲げて留めた吊金具のクリップの爪が、揺れるたびに徐々に開きが大きくなり、クリップより下に吊り下げている野縁と天井仕上材が崩落する災害が多数発生している。これは、天井面が揺れる地震力を野縁受けへスムーズに伝えられない吊り金具の構造に不備があるからである。従って、本考案の課題は、天井の崩落を防止するには、天井仕上材に作用する地震力を上部の筋交いまで伝達可能な接合金物を提供することである。
【課題を解決するための手段】
【０００８】
請求項１の考案によれば、従来の固定クリップに比べて、Ｌ字形金具を用いて野縁より厚いプレートとビスで固定することにより水平力が加わった場合でも滑ったり歪んだりすることがないので、耐震的になる。
請求項２の考案によれば、左右対称に２つの金具を用いることにより、どの方向から加わった水平力に対しても対処が可能になるので、より耐震的になる。
請求項３の考案によれば、野縁と野縁受の間を支えになるように座屈防止リブが配置されているので、水平力以外の力が加わった場合でも、野縁と野縁受の位置関係に変形が生じないのでより耐震的になる。
【考案の効果】
【０００９】
本考案によれば、接合金物を野縁受と野縁が上下に重なる交差点へ当てがい、要所をタッピングビス留めして固定することにより、天井面に作用するＸＹＺ方向の地震力を上部にバランスよく配置された筋交いへ伝達され、天井の崩落を防止することが可能となる。
【図面の簡単な説明】
【００１０】
【図１】本考案の実施形態を示す図である。
【図２】本考案の左側用展開図である。
【図３】本考案の右側用展開図である。
【図４】本考案の左側用の斜視図である。
【考案を実施するための形態】
【００１１】
以下に本考案の実施の形態を添付図面に基づいて説明する。
本考案の野縁と野縁受け交差部の左用耐震接合金物を、図２を使って説明する。鋼板厚さが２ｍｍ程度の薄板を、図２のような六角形に切断する。７から１０のように４箇所のビス孔をあける。１１の破線に沿って谷折し、１２と１３の破線に沿って山折する。１２と１３の破線で折り曲げることにより座屈防止用の下側リブ５と上側リブ６が設けられるが、１２と１３の破線は谷折してリブを設けてもよい。すると、図４に示すような野縁と野縁受け交差部の左用耐震接合金物が出来上がる。野縁と野縁受け交差部の右用耐震接合金物は、左用と同様に図３に示す鋼板を用いて左用と対象で作製し、一対とする。
【００１２】
下側リブ５と上側リブ６は強い地震力が加わった場合に本考案の接合金物が変形しないようにするための座屈防止のリブである。
【００１３】
屋内で一般に使用されている野縁受の下側に、直交方向に取り合う野縁やダブル野縁を強固に留めつける接合金物が必要なので、本考案である接合金物を図１のように用いてタッピングビスでビス留めして固定する。通常の必要強度の場合は一定間隔で配置されているダブル野縁にのみ本考案の接合金物で固定すれば十分な耐震性が得られる。
【産業上の利用可能性】
【００１４】
本考案によれば、大地震で大きな力が加わった場合でも野縁受と野縁の位置が変わらないので変形せずに筋交へ力を伝えることができ、天井の耐震性が向上する。また、通常の工事で用いられるタッピングビスを使用することで、従来と同様の野縁受や野縁を使用した場合でも対応できるため、従来のクリップから置き換えることが簡単である。
【符号の説明】
【００１５】
１          左用野縁と野縁受け交差部の耐震接合金物
２          右用野縁と野縁受け交差部の耐震接合金物
３          野縁受
４          野縁
５          下側リブ
６          上側リブ
７          ビス孔
８          ビス孔
９          ビス孔
１０        ビス孔
１１        谷折線
１２        山折線又は谷折線
１３        山折線又は谷折線
１４        タッピングビス
【図１】
0003171747.tif 000003
【図２】
0003171747.tif 000004
【図３】
0003171747.tif 000005
【図４】
0003171747.tif 000006
【手続補正書】
【提出日】平成23年9月12日(2011.9.12)
【手続補正１】
【補正対象書類名】実用新案登録請求の範囲
【補正対象項目名】全文
【補正方法】変更
【補正の内容】
【実用新案登録請求の範囲】
【請求項１】
野縁と野縁受を互いに固定するために、Ｌ字形の構造で野縁より厚いプレートにビス留めの孔を設けたことを特徴とする天井下地の野縁と野縁受け交差部の耐震接合金物
【請求項２】
請求項１の耐震接合金物において、左側用と右側用が対称に作られていることを特徴とする天井下地の野縁と野縁受け交差部の耐震接合金物
【請求項３】
請求項１または請求項２記載の耐震接合金物において、座屈防止リブを設けたことを特徴とする天井下地の野縁と野縁受け交差部の耐震接合金物